(57)【要約】【課題】本発明はお酒コップを開示した。【解決手段】お酒コップ及び前記お酒コップの中に設置されているコップチャンバを含み、前記コップチャンバが上へ開口しており、前記お酒コップの中にはリードスクリューチャンバが設置され、前記リードスクリューチャンバが前記コップチャンバと連通しており、前記リードスクリューチャンバの中にはガイドブロックがスライドできるように設置され、本発明を使用する時、コップの中にお酒を入れた後、本発明を始動すれば自動的にお酒を水に替えられ、替える過程の中のすべての動作がコップ主体の中で自動的に行われ、変える過程が高効率で快速であり、これにより社交等のためにお酒を飲む場合、お酒が飲めないことで気まずい雰囲気になることを避けられる。【選択図】図１
2020171648.tif 000002
【特許請求の範囲】
【請求項１】
お酒コップ及び前記お酒コップの中に設置されているコップチャンバを含み、前記コップチャンバが上へ開口しており、前記お酒コップの中にはリードスクリューチャンバが設置され、前記リードスクリューチャンバが前記コップチャンバと連通しており、前記リードスクリューチャンバの中にはガイドブロックがスライドできるように設置され、前記コップチャンバの中には上昇板がスライドできるように設置され、前記上昇板が前記ガイドブロックと固定的に連結され、前記お酒コップの中には左チャンバが設置され、前記お酒コップの中には右チャンバが設置され、前記右チャンバの底壁には下へ開口した注水孔が設置され、前記注水孔の中には注水バルブが設置され、前記右チャンバと前記コップチャンバとが排水逆止弁により連通され、使用する時に注水バルブにより水を前記右チャンバの中に注ぎ入れ、前記右チャンバの中には下押し板がスライドできるように設置され、前記コップチャンバと前記左チャンバとの間の壁体の中には収納溝が設置され、前記コップチャンバと前記左チャンバとの間には貫通孔が設置され、前記収納溝の中には阻み板がスライドできるように設置され、前記阻み板の中には左右に貫通している連通孔が設置され、前記収納溝と前記コップチャンバとの間には上下対称の二つの定位溝が設置され、前記阻み板の右端面には前記定位溝により前記コップチャンバの中に伸びている定位ブロックが上下対称的に固定的に設置され、前記定位ブロックは弾性材料であり、前記コップチャンバの中にお酒を入れる時、前記上昇板が上昇して下側の前記定位ブロックと当接することにより前記阻み板を上昇させ、前記連通孔が前記貫通孔の中まで移動して前記コップチャンバと前記左チャンバとを連通し、お酒が前記左チャンバの中に入り、前記下押し板が下降し、前記右チャンバの中の水が圧力作用のもとで前記コップチャンバの中に入り、前記上昇板の中には上下に貫通している第一連通溝が左右対称的に設置され、前記第一連通溝の中には第一密封ブロックがスライドできるように設置され、前記第一密封ブロックの中には第一連通孔が設置され、前記第一密封ブロックの片側端面には前記第一連通溝の内壁とスライドできるように連結されている第一スライダが固定的に設置され、前記第一スライダと前記第一連通溝の内壁との間には第一ばねが連結され、前記上昇板が一番高い位置まで上昇した後で下降し、前記第一密封ブロックが水の圧力のもとで上へスライドし、これにより水が前記第一連通孔を通して前記上昇板の上側に入ることを特徴とするお酒コップ。
【請求項２】
前記コップチャンバの内壁の中にはスライド溝が設置され、前記スライド溝の中には主電磁石がスライドできるように設置され、前記主電磁石が前記上昇板の前端と固定的に連結され、前記お酒コップの中には下へ開口した空きチャンバが設置され、前記空きチャンバの中には副電磁石がスライドできるように設置され、前記副電磁石の上端にはゴム栓が固定的に設置され、前記ゴム栓が前記空きチャンバの内壁とスライドできるように連結され、前記空きチャンバが第一逆止弁により外部空間と連通しており、前記空きチャンバと前記右チャンバとの間には連通チャンバが連通するように設置され、前記連通チャンバの中には第二逆止弁が設置され、これにより前記上昇板が上昇する時、前記主電磁石と、前記副電磁石と、前記ゴム栓とにより前記空きチャンバの中の気体が前記右チャンバの中に押され、これにより前記下押し板を下降させ、前記右チャンバの内壁の中には外部空間に連通している第二連通溝が設置され、前記第二連通溝の中には第二密封ブロックがスライドできるように設置され、前記第二密封ブロックの中には第二連通孔が設置され、前記第二密封ブロックの下端面には第二スライダが固定的に設置され、前記第二スライダと前記第二連通溝の内壁との間には第二ばねが連結され、前記右チャンバの中の水の量が足りない時、前記注水バルブにより水を注ぎ入れ、前記下押し板の上側の気体が前記第二密封ブロックを外へ押圧し、これにより前記第二連通孔が外部空間に連通し、これにより気体を出すことを実現することを特徴とする請求項１に記載のお酒コップ。
【請求項３】
前記収納溝の内壁の中には複数組の凹溝が設置され、前記阻み板の後端面には前記凹溝の数と同じである凸ブロックが固定的に設置され、前記凸ブロックは弾性材料により制作され、前記阻み板が上昇した後、前記凸ブロックが前記凹溝の中に挿入されて前記阻み板に位置を保持させることを特徴とする請求項１に記載のお酒コップ。
【請求項４】
前記左チャンバの底壁の中には下へ開口した液体排出孔が設置され、前記液体排出孔の中には閉鎖蓋がネジ山により結合され、前記閉鎖蓋を外した後、前記左チャンバの中のお酒を出すことができることを特徴とする請求項１に記載のお酒コップ。
【請求項５】
前記リードスクリューチャンバの底壁の中にはモータが固定的に設置され、前記モータの上端にはリードスクリューが動力が伝達できるように連結され、前記ガイドブロックが前記リードスクリューとネジ山により連結されていることを特徴とする請求項１に記載のお酒コップ。
【発明の詳細な説明】
【技術分野】
【０００１】
本発明はコップ技術分野を取り上げて、具体的にはお酒コップである。
【背景技術】
【０００２】
新年や節句を過ごす時、又は会社の飲み会に参加する時、お酒を飲むことが避けられなく、お酒が好きではない人又はお酒が飲めない人にとって、こういう場面がちょっと苦手で、どのように賢くお酒を飲むことを避け、他の人のメンツも自分の体も守れるか、これは非常に重要であり、上記問題について、本装置を提出した。  
【先行技術文献】
【特許文献】
【０００３】
【特許文献１】中国特許出願公開第103040303号明細書
【発明の概要】
【発明が解決しようとする課題】
【０００４】
本発明はお酒コップを提供し、従来技術における上記欠点を解消することを目的とする。
【課題を解決するための手段】
【０００５】
本発明装置のお酒コップは、お酒コップ及び前記お酒コップの中に設置されているコップチャンバを含み、前記コップチャンバが上へ開口しており、前記お酒コップの中にはリードスクリューチャンバが設置され、前記リードスクリューチャンバが前記コップチャンバと連通しており、前記リードスクリューチャンバの中にはガイドブロックがスライドできるように設置され、前記コップチャンバの中には上昇板がスライドできるように設置され、前記上昇板が前記ガイドブロックと固定的に連結され、前記お酒コップの中には左チャンバが設置され、前記お酒コップの中には右チャンバが設置され、前記右チャンバの底壁には下へ開口した注水孔が設置され、前記注水孔の中には注水バルブが設置され、前記右チャンバと前記コップチャンバとが排水逆止弁により連通され、使用する時に注水バルブにより水を前記右チャンバの中に注ぎ入れ、前記右チャンバの中には下押し板がスライドできるように設置され、前記コップチャンバと前記左チャンバとの間の壁体の中には収納溝が設置され、前記コップチャンバと前記左チャンバとの間には貫通孔が設置され、前記収納溝の中には阻み板がスライドできるように設置され、前記阻み板の中には左右に貫通している連通孔が設置され、前記収納溝と前記コップチャンバとの間には上下対称の二つの定位溝が設置され、前記阻み板の右端面には前記定位溝により前記コップチャンバの中に伸びている定位ブロックが上下対称的に固定的に設置され、前記定位ブロックは弾性材料であり、前記コップチャンバの中にお酒を入れる時、前記上昇板が上昇して下側の前記定位ブロックと当接することにより前記阻み板を上昇させ、前記連通孔が前記貫通孔の中まで移動して前記コップチャンバと前記左チャンバとを連通し、お酒が前記左チャンバの中に入り、前記下押し板が下降し、前記右チャンバの中の水が圧力作用のもとで前記コップチャンバの中に入り、前記上昇板の中には上下に貫通している第一連通溝が左右対称的に設置され、前記第一連通溝の中には第一密封ブロックがスライドできるように設置され、前記第一密封ブロックの中には第一連通孔が設置され、前記第一密封ブロックの片側端面には前記第一連通溝の内壁とスライドできるように連結されている第一スライダが固定的に設置され、前記第一スライダと前記第一連通溝の内壁との間には第一ばねが連結され、前記上昇板が一番高い位置まで上昇した後で下降し、前記第一密封ブロックが水の圧力のもとで上へスライドし、これにより水が前記第一連通孔を通して前記上昇板の上側に入る。
【０００６】
好ましくは、前記コップチャンバの内壁の中にはスライド溝が設置され、前記スライド溝の中には主電磁石がスライドできるように設置され、前記主電磁石が前記上昇板の前端と固定的に連結され、前記お酒コップの中には下へ開口した空きチャンバが設置され、前記空きチャンバの中には副電磁石がスライドできるように設置され、前記副電磁石の上端にはゴム栓が固定的に設置され、前記ゴム栓が前記空きチャンバの内壁とスライドできるように連結され、前記空きチャンバが第一逆止弁により外部空間と連通しており、前記空きチャンバと前記右チャンバとの間には連通チャンバが連通するように設置され、前記連通チャンバの中には第二逆止弁が設置され、これにより前記上昇板が上昇する時、前記主電磁石と、前記副電磁石と、前記ゴム栓とにより前記空きチャンバの中の気体が前記右チャンバの中に押され、これにより前記下押し板を下降させ、前記右チャンバの内壁の中には外部空間に連通している第二連通溝が設置され、前記第二連通溝の中には第二密封ブロックがスライドできるように設置され、前記第二密封ブロックの中には第二連通孔が設置され、前記第二密封ブロックの下端面には第二スライダが固定的に設置され、前記第二スライダと前記第二連通溝の内壁との間には第二ばねが連結され、前記右チャンバの中の水の量が足りない時、前記注水バルブにより水を注ぎ入れ、前記下押し板の上側の気体が前記第二密封ブロックを外へ押圧し、これにより前記第二連通孔が外部空間に連通し、これにより気体を出すことを実現する。
【０００７】
好ましくは、前記収納溝の内壁の中には複数組の凹溝が設置され、前記阻み板の後端面には前記凹溝の数と同じである凸ブロックが固定的に設置され、前記凸ブロックは弾性材料により制作され、前記阻み板が上昇した後、前記凸ブロックが前記凹溝の中に挿入されて前記阻み板に位置を保持させる。
【０００８】
好ましくは、前記左チャンバの底壁の中には下へ開口した液体排出孔が設置され、前記液体排出孔の中には閉鎖蓋がネジ山により結合され、前記閉鎖蓋を外した後、前記左チャンバの中のお酒を出すことができる。
【０００９】
好ましくは、前記リードスクリューチャンバの底壁の中にはモータが固定的に設置され、前記モータの上端にはリードスクリューが動力が伝達できるように連結され、前記ガイドブロックが前記リードスクリューとネジ山により連結されている。
【発明の効果】
【００１０】
以上により、本発明を使用する時、コップの中にお酒を入れた後、本発明を始動すれば自動的にお酒を水に替えられ、替える過程の中のすべての動作がコップ主体の中で自動的に行われ、変える過程が高効率で快速であり、これにより社交等のためにお酒を飲む場合、お酒が飲めないことで気まずい雰囲気になることを避けられる。
【図面の簡単な説明】
【００１１】
以下に図１〜７を交えて本発明について詳しく説明する。便利に叙述するために、後文に出る方位を下記の通りに規定する：後文に出る上下左右前後方向は図１本体の投影関係の上下左右前後方向と一致する。
【００１２】
【図１】図１は本発明のお酒コップの全体構成模式図
【図２】図２は図１の中のＡ−Ａにおける構成模式図
【図３】図３は図１の中のＢ−Ｂにおける構成模式図
【図４】図４は図１の中のＣにおける構成模式図
【図５】図５は図１の中のＤにおける構成模式図
【図６】図６は図１の中のＥにおける構成模式図
【図７】図７は阻み板３０の背面図
【発明を実施するための形態】
【００１３】
以下は付図説明と実施例を交えて本発明について更に説明し、本発明の方式は以下の実施例を含むが、これのみに限定されるものではない。
【００１４】
図１〜７に示すように、本発明装置のお酒コップは、お酒コップ１０及び前記お酒コップ１０の中に設置されているコップチャンバ１１を含み、前記コップチャンバ１１が上へ開口しており、前記お酒コップ１０の中にはリードスクリューチャンバ１８が設置され、前記リードスクリューチャンバ１８が前記コップチャンバ１１と連通しており、前記リードスクリューチャンバ１８の中にはガイドブロック２６がスライドできるように設置され、前記コップチャンバ１１の中には上昇板１７がスライドできるように設置され、前記上昇板１７が前記ガイドブロック２６と固定的に連結され、前記お酒コップ１０の中には左チャンバ１２が設置され、前記お酒コップ１０の中には右チャンバ１５が設置され、前記右チャンバ１５の底壁には下へ開口した注水孔１３が設置され、前記注水孔１３の中には注水バルブ１４が設置され、前記右チャンバ１５と前記コップチャンバ１１とが排水逆止弁１６により連通され、使用する時に注水バルブ１４により水を前記右チャンバ１５の中に注ぎ入れ、前記右チャンバ１５の中には下押し板４８がスライドできるように設置され、前記コップチャンバ１１と前記左チャンバ１２との間の壁体の中には収納溝３２が設置され、前記コップチャンバ１１と前記左チャンバ１２との間には貫通孔２９が設置され、前記収納溝３２の中には阻み板３０がスライドできるように設置され、前記阻み板３０の中には左右に貫通している連通孔３３が設置され、前記収納溝３２と前記コップチャンバ１１との間には上下対称の二つの定位溝３４が設置され、前記阻み板３０の右端面には前記定位溝３４により前記コップチャンバ１１の中に伸びている定位ブロック３５が上下対称的に固定的に設置され、前記定位ブロック３５は弾性材料であり、前記コップチャンバ１１の中にお酒を入れる時、前記上昇板１７が上昇して下側の前記定位ブロック３５と当接することにより前記阻み板３０を上昇させ、前記連通孔３３が前記貫通孔２９の中まで移動して前記コップチャンバ１１と前記左チャンバ１２とを連通し、お酒が前記左チャンバ１２の中に入り、前記下押し板４８が下降し、前記右チャンバ１５の中の水が圧力作用のもとで前記コップチャンバ１１の中に入り、前記上昇板１７の中には上下に貫通している第一連通溝４０が左右対称的に設置され、前記第一連通溝４０の中には第一密封ブロック３８がスライドできるように設置され、前記第一密封ブロック３８の中には第一連通孔３６が設置され、前記第一密封ブロック３８の片側端面には前記第一連通溝４０の内壁とスライドできるように連結されている第一スライダ３９が固定的に設置され、前記第一スライダ３９と前記第一連通溝４０の内壁との間には第一ばね３７が連結され、前記上昇板１７が一番高い位置まで上昇した後で下降し、前記第一密封ブロック３８が水の圧力のもとで上へスライドし、これにより水が前記第一連通孔３６を通して前記上昇板１７の上側に入る。
【００１５】
有益的には、前記コップチャンバ１１の内壁の中にはスライド溝２５が設置され、前記スライド溝２５の中には主電磁石２４がスライドできるように設置され、前記主電磁石２４が前記上昇板１７の前端と固定的に連結され、前記お酒コップ１０の中には下へ開口した空きチャンバ２１が設置され、前記空きチャンバ２１の中には副電磁石２３がスライドできるように設置され、前記副電磁石２３の上端にはゴム栓２２が固定的に設置され、前記ゴム栓２２が前記空きチャンバ２１の内壁とスライドできるように連結され、前記空きチャンバ２１が第一逆止弁１９により外部空間と連通しており、前記空きチャンバ２１と前記右チャンバ１５との間には連通チャンバ４９が連通するように設置され、前記連通チャンバ４９の中には第二逆止弁２０が設置され、これにより前記上昇板１７が上昇する時、前記主電磁石２４と、前記副電磁石２３と、前記ゴム栓２２とにより前記空きチャンバ２１の中の気体が前記右チャンバ１５の中に押され、これにより前記下押し板４８を下降させ、前記右チャンバ１５の内壁の中には外部空間に連通している第二連通溝４５が設置され、前記第二連通溝４５の中には第二密封ブロック４４がスライドできるように設置され、前記第二密封ブロック４４の中には第二連通孔４３が設置され、前記第二密封ブロック４４の下端面には第二スライダ４７が固定的に設置され、前記第二スライダ４７と前記第二連通溝４５の内壁との間には第二ばね４６が連結され、前記右チャンバ１５の中の水の量が足りない時、前記注水バルブ１４により水を注ぎ入れ、前記下押し板４８の上側の気体が前記第二密封ブロック４４を外へ押圧し、これにより前記第二連通孔４３が外部空間に連通し、これにより気体を出すことを実現する。
【００１６】
有益的には、前記収納溝３２の内壁の中には複数組の凹溝３１が設置され、前記阻み板３０の後端面には前記凹溝３１の数と同じである凸ブロック５０が固定的に設置され、前記凸ブロック５０は弾性材料により制作され、前記阻み板３０が上昇した後、前記凸ブロック５０が前記凹溝３１の中に挿入されて前記阻み板３０に位置を保持させる。
【００１７】
有益的には、前記左チャンバ１２の底壁の中には下へ開口した液体排出孔４２が設置され、前記液体排出孔４２の中には閉鎖蓋４１がネジ山により結合され、前記閉鎖蓋４１を外した後、前記左チャンバ１２の中のお酒を出すことができる。
【００１８】
有益的には、前記リードスクリューチャンバ１８の底壁の中にはモータ２８が固定的に設置され、前記モータ２８の上端にはリードスクリュー２７が動力が伝達できるように連結され、前記ガイドブロック２６が前記リードスクリュー２７とネジ山により連結されている。
【００１９】
前記のお酒コップの実現方法は、以下のステップを含む：
【００２０】
お酒をコップチャンバ１１の中に入れた後、モータ２８が起動してリードスクリュー２７を回転させ、これによりガイドブロック２６が上昇板１７を連動させて上昇させ、上昇板１７が下側の定位ブロック３５と当接し、阻み板３０を上昇させ、連通孔３３が貫通孔２９の中まで移動してコップチャンバ１１と左チャンバ１２とを連通し、お酒が左チャンバ１２の中に入り、上昇板１７が主電磁石２４を上昇連動させ、これにより副電磁石２３と、ゴム栓２２とにより空きチャンバ２１の中の気体を右チャンバ１５の中まで押し、下押し板４８が下降し、右チャンバ１５の中の水が圧力作用のもとでコップチャンバ１１の中に入り、上昇板１７が一番高い位置まで上昇した後で下降し、上側の定位ブロック３５と当接して阻み板３０を下降させて復帰させ、第一密封ブロック３８が水の圧力のもとで上へスライドし、これにより水が第一連通孔３６を通して上昇板１７の上側に入り、これによりお酒を水に替える。
【００２１】
以上により、本発明を使用する時、コップの中にお酒を入れた後、本発明を始動すれば自動的にお酒を水に替えられ、替える過程の中のすべての動作がコップ主体の中で自動的に行われ、変える過程が高効率で快速であり、これにより社交等のためにお酒を飲む場合、お酒が飲めないことで気まずい雰囲気になることを避けられる。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171648.tif 000003
【図２】
2020171648.tif 000004
【図３】
2020171648.tif 000005
【図４】
2020171648.tif 000006
【図５】
2020171648.tif 000007
【図６】
2020171648.tif 000008
【図７】
2020171648.tif 000009
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
お酒コップ及び前記お酒コップの中に設置されているコップチャンバを含み、前記コップチャンバが上へ開口しており、前記お酒コップの中にはリードスクリューチャンバが設置され、前記リードスクリューチャンバが前記コップチャンバと連通しており、前記リードスクリューチャンバの中にはガイドブロックがスライドできるように設置され、前記コップチャンバの中には上昇板がスライドできるように設置され、前記上昇板が前記ガイドブロックと固定的に連結され、前記お酒コップの中には左チャンバが設置され、前記お酒コップの中には右チャンバが設置され、前記右チャンバの底壁には下へ開口した注水孔が設置され、前記注水孔の中には注水バルブが設置され、前記右チャンバと前記コップチャンバとが排水逆止弁により連通され、使用する時に注水バルブにより水を前記右チャンバの中に注ぎ入れ、前記右チャンバの中には下押し板がスライドできるように設置され、前記コップチャンバと前記左チャンバとの間の壁体の中には収納溝が設置され、前記コップチャンバと前記左チャンバとの間には貫通孔が設置され、前記収納溝の中には阻み板がスライドできるように設置され、前記阻み板の中には左右に貫通している連通孔が設置され、前記収納溝と前記コップチャンバとの間には上下対称の二つの定位溝が設置され、前記阻み板の右端面には前記定位溝により前記コップチャンバの中に伸びている定位ブロックが上下対称的に固定的に設置され、前記定位ブロックは弾性材料であり、前記コップチャンバの中にお酒を入れる時、前記上昇板が上昇して下側の前記定位ブロックと当接することにより前記阻み板を上昇させ、前記連通孔が前記貫通孔の中まで移動して前記コップチャンバと前記左チャンバとを連通し、お酒が前記左チャンバの中に入り、前記下押し板が下降し、前記右チャンバの中の水が圧力作用のもとで前記コップチャンバの中に入り、前記上昇板の中には上下に貫通している第一連通溝が左右対称的に設置され、前記第一連通溝の中には第一密封ブロックがスライドできるように設置され、前記第一密封ブロックの中には第一連通孔が設置され、前記第一密封ブロックの片側端面には前記第一連通溝の内壁とスライドできるように連結されている第一スライダが固定的に設置され、前記第一スライダと前記第一連通溝の内壁との間には第一ばねが連結され、前記上昇板が一番高い位置まで上昇した後で下降し、この時に前記上昇板の下側に水があるため、前記上昇板が下降過程において水の圧力を受け、そして前記第一密封ブロックが水の圧力のもとで上方へスライドし、これにより水が前記第一連通孔を通して前記上昇板の上側に入り、
前記コップチャンバの内壁の中にはスライド溝が設置され、前記スライド溝の中には主電磁石がスライドできるように設置され、前記主電磁石が前記上昇板の前端と固定的に連結され、前記お酒コップの中には下へ開口した空きチャンバが設置され、前記空きチャンバの中には副電磁石がスライドできるように設置され、前記副電磁石の上端にはゴム栓が固定的に設置され、前記ゴム栓が前記空きチャンバの内壁とスライドできるように連結され、前記空きチャンバが第一逆止弁により外部空間と連通しており、前記空きチャンバと前記右チャンバとの間には連通チャンバが連通するように設置され、前記連通チャンバの中には第二逆止弁が設置され、これにより前記上昇板が上昇する時、前記主電磁石と、前記副電磁石と、前記ゴム栓とにより前記空きチャンバの中の気体が前記右チャンバの中に押され、これにより前記下押し板を下降させ、前記右チャンバの内壁の中には外部空間に連通している第二連通溝が設置され、前記第二連通溝の中には第二密封ブロックがスライドできるように設置され、前記第二密封ブロックの中には第二連通孔が設置され、前記第二密封ブロックの下端面には第二スライダが固定的に設置され、前記第二スライダと前記第二連通溝の内壁との間には第二ばねが連結され、前記第二ばねが前記第二スライダに対する圧迫力は下押し板と右チャンバの内壁との間の摩擦力より強く、前記右チャンバの中の水の量が足りない時、前記注水バルブにより水を注ぎ入れ、前記下押し板の上側の気体が前記第二密封ブロックを外へ押圧し、これにより前記第二連通孔が外部空間に連通し、これにより気体を出すことを実現することを特徴とするお酒コップ。
【請求項２】
前記収納溝の内壁の中には複数組の凹溝が設置され、前記阻み板の後端面には前記凹溝の数と同じである凸ブロックが固定的に設置され、前記凸ブロックは弾性材料により制作され、前記阻み板が上昇した後、前記凸ブロックが前記凹溝の中に挿入されて前記阻み板に位置を保持させることを特徴とする請求項１に記載のお酒コップ。
【請求項３】
前記左チャンバの底壁の中には下へ開口した液体排出孔が設置され、前記液体排出孔の中には閉鎖蓋がネジ山により結合され、前記閉鎖蓋を外した後、前記左チャンバの中のお酒を出すことができることを特徴とする請求項１に記載のお酒コップ。
【請求項４】
前記リードスクリューチャンバの底壁の中にはモータが固定的に設置され、前記モータの上端にはリードスクリューが動力が伝達できるように連結され、前記ガイドブロックが前記リードスクリューとネジ山により連結されていることを特徴とする請求項１に記載のお酒コップ。
【手続補正２】
【補正対象書類名】明細書
【補正対象項目名】全文
【補正方法】変更
【補正の内容】
【発明の詳細な説明】
【技術分野】
【０００１】
本発明はコップ技術分野を取り上げて、具体的にはお酒コップである。
【背景技術】
【０００２】
新年や節句を過ごす時、又は会社の飲み会に参加する時、お酒を飲むことが避けられなく、お酒が好きではない人又はお酒が飲めない人にとって、こういう場面がちょっと苦手で、どのように賢くお酒を飲むことを避け、他の人のメンツも自分の体も守れるか、これは非常に重要であり、上記問題について、本装置を提出した。
【先行技術文献】
【特許文献】
【０００３】
【特許文献１】中国特許出願公開第１０３０４０３０３号明細書
【発明の概要】
【発明が解決しようとする課題】
【０００４】
本発明はお酒コップを提供し、従来技術における上記欠点を解消することを目的とする。
【課題を解決するための手段】
【０００５】
本発明装置のお酒コップは、お酒コップ及び前記お酒コップの中に設置されているコップチャンバを含み、前記コップチャンバが上へ開口しており、前記お酒コップの中にはリードスクリューチャンバが設置され、前記リードスクリューチャンバが前記コップチャンバと連通しており、前記リードスクリューチャンバの中にはガイドブロックがスライドできるように設置され、前記コップチャンバの中には上昇板がスライドできるように設置され、前記上昇板が前記ガイドブロックと固定的に連結され、前記お酒コップの中には左チャンバが設置され、前記お酒コップの中には右チャンバが設置され、前記右チャンバの底壁には下へ開口した注水孔が設置され、前記注水孔の中には注水バルブが設置され、前記右チャンバと前記コップチャンバとが排水逆止弁により連通され、使用する時に注水バルブにより水を前記右チャンバの中に注ぎ入れ、前記右チャンバの中には下押し板がスライドできるように設置され、前記コップチャンバと前記左チャンバとの間の壁体の中には収納溝が設置され、前記コップチャンバと前記左チャンバとの間には貫通孔が設置され、前記収納溝の中には阻み板がスライドできるように設置され、前記阻み板の中には左右に貫通している連通孔が設置され、前記収納溝と前記コップチャンバとの間には上下対称の二つの定位溝が設置され、前記阻み板の右端面には前記定位溝により前記コップチャンバの中に伸びている定位ブロックが上下対称的に固定的に設置され、前記定位ブロックは弾性材料であり、前記コップチャンバの中にお酒を入れる時、前記上昇板が上昇して下側の前記定位ブロックと当接することにより前記阻み板を上昇させ、前記連通孔が前記貫通孔の中まで移動して前記コップチャンバと前記左チャンバとを連通し、お酒が前記左チャンバの中に入り、前記下押し板が下降し、前記右チャンバの中の水が圧力作用のもとで前記コップチャンバの中に入り、前記上昇板の中には上下に貫通している第一連通溝が左右対称的に設置され、前記第一連通溝の中には第一密封ブロックがスライドできるように設置され、前記第一密封ブロックの中には第一連通孔が設置され、前記第一密封ブロックの片側端面には前記第一連通溝の内壁とスライドできるように連結されている第一スライダが固定的に設置され、前記第一スライダと前記第一連通溝の内壁との間には第一ばねが連結され、前記上昇板が一番高い位置まで上昇した後で下降し、この時に前記上昇板の下側に水があるため、前記上昇板が下降過程において水の圧力を受け、そして前記第一密封ブロックが水の圧力のもとで上方へスライドし、これにより水が前記第一連通孔を通して前記上昇板の上側に入る。
【０００６】
好ましくは、前記コップチャンバの内壁の中にはスライド溝が設置され、前記スライド溝の中には主電磁石がスライドできるように設置され、前記主電磁石が前記上昇板の前端と固定的に連結され、前記お酒コップの中には下へ開口した空きチャンバが設置され、前記空きチャンバの中には副電磁石がスライドできるように設置され、前記副電磁石の上端にはゴム栓が固定的に設置され、前記ゴム栓が前記空きチャンバの内壁とスライドできるように連結され、前記空きチャンバが第一逆止弁により外部空間と連通しており、前記空きチャンバと前記右チャンバとの間には連通チャンバが連通するように設置され、前記連通チャンバの中には第二逆止弁が設置され、これにより前記上昇板が上昇する時、前記主電磁石と、前記副電磁石と、前記ゴム栓とにより前記空きチャンバの中の気体が前記右チャンバの中に押され、これにより前記下押し板を下降させ、前記右チャンバの内壁の中には外部空間に連通している第二連通溝が設置され、前記第二連通溝の中には第二密封ブロックがスライドできるように設置され、前記第二密封ブロックの中には第二連通孔が設置され、前記第二密封ブロックの下端面には第二スライダが固定的に設置され、前記第二スライダと前記第二連通溝の内壁との間には第二ばねが連結され、前記第二ばねが前記第二スライダに対する圧迫力は下押し板と右チャンバの内壁との間の摩擦力より強く、前記右チャンバの中の水の量が足りない時、前記注水バルブにより水を注ぎ入れ、前記下押し板の上側の気体が前記第二密封ブロックを外へ押圧し、これにより前記第二連通孔が外部空間に連通し、これにより気体を出すことを実現する。
【０００７】
好ましくは、前記収納溝の内壁の中には複数組の凹溝が設置され、前記阻み板の後端面には前記凹溝の数と同じである凸ブロックが固定的に設置され、前記凸ブロックは弾性材料により制作され、前記阻み板が上昇した後、前記凸ブロックが前記凹溝の中に挿入されて前記阻み板に位置を保持させる。
【０００８】
好ましくは、前記左チャンバの底壁の中には下へ開口した液体排出孔が設置され、前記液体排出孔の中には閉鎖蓋がネジ山により結合され、前記閉鎖蓋を外した後、前記左チャンバの中のお酒を出すことができる。
【０００９】
好ましくは、前記リードスクリューチャンバの底壁の中にはモータが固定的に設置され、前記モータの上端にはリードスクリューが動力が伝達できるように連結され、前記ガイドブロックが前記リードスクリューとネジ山により連結されている。
【発明の効果】
【００１０】
以上により、本発明を使用する時、コップの中にお酒を入れた後、本発明を始動すれば自動的にお酒を水に替えられ、替える過程の中のすべての動作がコップ主体の中で自動的に行われ、変える過程が高効率で快速であり、これにより社交等のためにお酒を飲む場合、お酒が飲めないことで気まずい雰囲気になることを避けられる。
【図面の簡単な説明】
【００１１】
以下に図１〜７を交えて本発明について詳しく説明する。便利に叙述するために、後文に出る方位を下記の通りに規定する：後文に出る上下左右前後方向は図１本体の投影関係の上下左右前後方向と一致する。
【００１２】
【図１】図１は本発明のお酒コップの全体構成模式図
【図２】図２は図１の中のＡ−Ａにおける構成模式図
【図３】図３は図１の中のＢ−Ｂにおける構成模式図
【図４】図４は図１の中のＣにおける構成模式図
【図５】図５は図１の中のＤにおける構成模式図
【図６】図６は図１の中のＥにおける構成模式図
【図７】図７は阻み板３０の背面図
【発明を実施するための形態】
【００１３】
以下は付図説明と実施例を交えて本発明について更に説明し、本発明の方式は以下の実施例を含むが、これのみに限定されるものではない。
【００１４】
図１〜７に示すように、本発明装置のお酒コップは、お酒コップ１０及び前記お酒コップ１０の中に設置されているコップチャンバ１１を含み、前記コップチャンバ１１が上へ開口しており、前記お酒コップ１０の中にはリードスクリューチャンバ１８が設置され、前記リードスクリューチャンバ１８が前記コップチャンバ１１と連通しており、前記リードスクリューチャンバ１８の中にはガイドブロック２６がスライドできるように設置され、前記コップチャンバ１１の中には上昇板１７がスライドできるように設置され、前記上昇板１７が前記ガイドブロック２６と固定的に連結され、前記お酒コップ１０の中には左チャンバ１２が設置され、前記お酒コップ１０の中には右チャンバ１５が設置され、前記右チャンバ１５の底壁には下へ開口した注水孔１３が設置され、前記注水孔１３の中には注水バルブ１４が設置され、前記右チャンバ１５と前記コップチャンバ１１とが排水逆止弁１６により連通され、使用する時に注水バルブ１４により水を前記右チャンバ１５の中に注ぎ入れ、前記右チャンバ１５の中には下押し板４８がスライドできるように設置され、前記コップチャンバ１１と前記左チャンバ１２との間の壁体の中には収納溝３２が設置され、前記コップチャンバ１１と前記左チャンバ１２との間には貫通孔２９が設置され、前記収納溝３２の中には阻み板３０がスライドできるように設置され、前記阻み板３０の中には左右に貫通している連通孔３３が設置され、前記収納溝３２と前記コップチャンバ１１との間には上下対称の二つの定位溝３４が設置され、前記阻み板３０の右端面には前記定位溝３４により前記コップチャンバ１１の中に伸びている定位ブロック３５が上下対称的に固定的に設置され、前記定位ブロック３５は弾性材料であり、前記コップチャンバ１１の中にお酒を入れる時、前記上昇板１７が上昇して下側の前記定位ブロック３５と当接することにより前記阻み板３０を上昇させ、前記連通孔３３が前記貫通孔２９の中まで移動して前記コップチャンバ１１と前記左チャンバ１２とを連通し、お酒が前記左チャンバ１２の中に入り、前記下押し板４８が下降し、前記右チャンバ１５の中の水が圧力作用のもとで前記コップチャンバ１１の中に入り、前記上昇板１７の中には上下に貫通している第一連通溝４０が左右対称的に設置され、前記第一連通溝４０の中には第一密封ブロック３８がスライドできるように設置され、前記第一密封ブロック３８の中には第一連通孔３６が設置され、前記第一密封ブロック３８の片側端面には前記第一連通溝４０の内壁とスライドできるように連結されている第一スライダ３９が固定的に設置され、前記第一スライダ３９と前記第一連通溝４０の内壁との間には第一ばね３７が連結され、前記上昇板１７が一番高い位置まで上昇した後で下降し、この時に前記上昇板１７の下側に水があるため、前記上昇板１７が下降過程において水の圧力を受け、そして前記第一密封ブロック３８が水の圧力のもとで上方へスライドし、これにより水が前記第一連通孔３６を通して前記上昇板１７の上側に入る。
【００１５】
有益的には、前記コップチャンバ１１の内壁の中にはスライド溝２５が設置され、前記スライド溝２５の中には主電磁石２４がスライドできるように設置され、前記主電磁石２４が前記上昇板１７の前端と固定的に連結され、前記お酒コップ１０の中には下へ開口した空きチャンバ２１が設置され、前記空きチャンバ２１の中には副電磁石２３がスライドできるように設置され、前記副電磁石２３の上端にはゴム栓２２が固定的に設置され、前記ゴム栓２２が前記空きチャンバ２１の内壁とスライドできるように連結され、前記空きチャンバ２１が第一逆止弁１９により外部空間と連通しており、前記空きチャンバ２１と前記右チャンバ１５との間には連通チャンバ４９が連通するように設置され、前記連通チャンバ４９の中には第二逆止弁２０が設置され、これにより前記上昇板１７が上昇する時、前記主電磁石２４と、前記副電磁石２３と、前記ゴム栓２２とにより前記空きチャンバ２１の中の気体が前記右チャンバ１５の中に押され、これにより前記下押し板４８を下降させ、前記右チャンバ１５の内壁の中には外部空間に連通している第二連通溝４５が設置され、前記第二連通溝４５の中には第二密封ブロック４４がスライドできるように設置され、前記第二密封ブロック４４の中には第二連通孔４３が設置され、前記第二密封ブロック４４の下端面には第二スライダ４７が固定的に設置され、前記第二スライダ４７と前記第二連通溝４５の内壁との間には第二ばね４６が連結され、前記第二ばね４６が前記第二スライダ４７に対する圧迫力は下押し板４８と右チャンバ１５の内壁との間の摩擦力より強く、前記右チャンバ１５の中の水の量が足りない時、前記注水バルブ１４により水を注ぎ入れ、前記下押し板４８の上側の気体が前記第二密封ブロック４４を外へ押圧し、これにより前記第二連通孔４３が外部空間に連通し、これにより気体を出すことを実現する。
【００１６】
有益的には、前記収納溝３２の内壁の中には複数組の凹溝３１が設置され、前記阻み板３０の後端面には前記凹溝３１の数と同じである凸ブロック５０が固定的に設置され、前記凸ブロック５０は弾性材料により制作され、前記阻み板３０が上昇した後、前記凸ブロック５０が前記凹溝３１の中に挿入されて前記阻み板３０に位置を保持させる。
【００１７】
有益的には、前記左チャンバ１２の底壁の中には下へ開口した液体排出孔４２が設置され、前記液体排出孔４２の中には閉鎖蓋４１がネジ山により結合され、前記閉鎖蓋４１を外した後、前記左チャンバ１２の中のお酒を出すことができる。
【００１８】
有益的には、前記リードスクリューチャンバ１８の底壁の中にはモータ２８が固定的に設置され、前記モータ２８の上端にはリードスクリュー２７が動力が伝達できるように連結され、前記ガイドブロック２６が前記リードスクリュー２７とネジ山により連結されている。
【００１９】
前記のお酒コップの実現方法は、以下のステップを含む：
【００２０】
お酒をコップチャンバ１１の中に入れた後、モータ２８が起動してリードスクリュー２７を回転させ、これによりガイドブロック２６が上昇板１７を連動させて上昇させ、上昇板１７が下側の定位ブロック３５と当接し、阻み板３０を上昇させ、連通孔３３が貫通孔２９の中まで移動してコップチャンバ１１と左チャンバ１２とを連通し、お酒が左チャンバ１２の中に入り、上昇板１７が主電磁石２４を上昇連動させ、これにより副電磁石２３と、ゴム栓２２とにより空きチャンバ２１の中の気体を右チャンバ１５の中まで押し、下押し板４８が下降し、右チャンバ１５の中の水が圧力作用のもとでコップチャンバ１１の中に入り、上昇板１７が一番高い位置まで上昇した後で下降し、上側の定位ブロック３５と当接して阻み板３０を下降させて復帰させ、第一密封ブロック３８が水の圧力のもとで上へスライドし、これにより水が第一連通孔３６を通して上昇板１７の上側に入り、これによりお酒を水に替える。
【００２１】
以上により、本発明を使用する時、コップの中にお酒を入れた後、本発明を始動すれば自動的にお酒を水に替えられ、替える過程の中のすべての動作がコップ主体の中で自動的に行われ、変える過程が高効率で快速であり、これにより社交等のためにお酒を飲む場合、お酒が飲めないことで気まずい雰囲気になることを避けられる。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
お酒コップ及び前記お酒コップの中に設置されているコップチャンバを含み、前記コップチャンバが上へ開口しており、前記お酒コップの中にはリードスクリューチャンバが設置され、前記リードスクリューチャンバが前記コップチャンバと連通しており、前記リードスクリューチャンバの中にはガイドブロックがスライドできるように設置され、前記コップチャンバの中には上昇板がスライドできるように設置され、前記上昇板が前記ガイドブロックと固定的に連結され、前記お酒コップの中には左チャンバが設置され、前記お酒コップの中には右チャンバが設置され、前記右チャンバの底壁には下へ開口した注水孔が設置され、前記注水孔の中には注水バルブが設置され、前記右チャンバと前記コップチャンバとが排水逆止弁により連通され、使用する時に注水バルブにより水を前記右チャンバの中に注ぎ入れ、前記右チャンバの中には下押し板がスライドできるように設置され、前記コップチャンバと前記左チャンバとの間の壁体の中には収納溝が設置され、前記コップチャンバと前記左チャンバとの間には貫通孔が設置され、前記収納溝の中には阻み板がスライドできるように設置され、前記阻み板の中には左右に貫通している連通孔が設置され、前記収納溝と前記コップチャンバとの間には上下対称の二つの定位溝が設置され、前記阻み板の右端面には前記定位溝により前記コップチャンバの中に伸びている定位ブロックが上下対称的に固定的に設置され、前記定位ブロックは弾性材料であり、前記コップチャンバの中にお酒を入れる時、前記上昇板が上昇して下側の前記定位ブロックと当接することにより前記阻み板を上昇させ、前記連通孔が前記貫通孔の中まで移動して前記コップチャンバと前記左チャンバとを連通し、お酒が前記左チャンバの中に入り、前記下押し板が下降し、前記右チャンバの中の水が圧力作用のもとで前記コップチャンバの中に入り、前記上昇板の中には上下に貫通している第一連通溝が左右対称的に設置され、前記第一連通溝の中には第一密封ブロックがスライドできるように設置され、前記第一密封ブロックの中には第一連通孔が設置され、前記第一密封ブロックの片側端面には前記第一連通溝の内壁とスライドできるように連結されている第一スライダが固定的に設置され、前記第一スライダと前記第一連通溝の内壁との間には第一ばねが連結され、前記上昇板が一番高い位置まで上昇した後で下降し、この時に前記上昇板の下側に水があるため、前記上昇板が下降過程において水の圧力を受け、そして前記第一密封ブロックが水の圧力のもとで上方へスライドし、これにより水が前記第一連通孔を通して前記上昇板の上側に入り、
前記コップチャンバの内壁の中にはスライド溝が設置され、前記スライド溝の中には主電磁石がスライドできるように設置され、前記主電磁石が前記上昇板の前端と固定的に連結され、前記お酒コップの中には下へ開口した空きチャンバが設置され、前記空きチャンバの中には副電磁石がスライドできるように設置され、前記副電磁石の上端にはゴム栓が固定的に設置され、前記ゴム栓が前記空きチャンバの内壁とスライドできるように連結され、前記空きチャンバが第一逆止弁により外部空間と連通しており、前記空きチャンバと前記右チャンバとの間には連通チャンバが連通するように設置され、前記連通チャンバの中には第二逆止弁が設置され、これにより前記上昇板が上昇する時、前記主電磁石と、前記副電磁石と、前記ゴム栓とにより前記空きチャンバの中の気体が前記右チャンバの中に押され、これにより前記下押し板を下降させ、前記右チャンバの内壁の中には外部空間に連通している第二連通溝が設置され、前記第二連通溝の中には第二密封ブロックがスライドできるように設置され、前記第二密封ブロックの中には第二連通孔が設置され、前記第二密封ブロックの下端面には第二スライダが固定的に設置され、前記第二スライダと前記第二連通溝の内壁との間には第二ばねが連結され、気体が前記右チャンバの中に入った後に前記第二密封ブロックに与える圧力は前記第二ばねが前記第二スライダに与える押圧力より小さく、下押し板を押して下方へ移動させるしかできなく、前記右チャンバの中の水の量が足りない時、前記注水バルブにより水を注ぎ入れ、前記下押し板の上側の気体が前記第二密封ブロックを外へ押圧し、これにより前記第二連通孔が外部空間に連通し、これにより気体を出すことを実現することを特徴とするお酒コップ。
【請求項２】
前記収納溝の内壁の中には複数組の凹溝が設置され、前記阻み板の後端面には前記凹溝の数と同じである凸ブロックが固定的に設置され、前記凸ブロックは弾性材料により制作され、前記阻み板が上昇した後、前記凸ブロックが前記凹溝の中に挿入されて前記阻み板に位置を保持させることを特徴とする請求項１に記載のお酒コップ。
【請求項３】
前記左チャンバの底壁の中には下へ開口した液体排出孔が設置され、前記液体排出孔の中には閉鎖蓋がネジ山により結合され、前記閉鎖蓋を外した後、前記左チャンバの中のお酒を出すことができることを特徴とする請求項１に記載のお酒コップ。
【請求項４】
前記リードスクリューチャンバの底壁の中にはモータが固定的に設置され、前記モータの上端にはリードスクリューが動力が伝達できるように連結され、前記ガイドブロックが前記リードスクリューとネジ山により連結されていることを特徴とする請求項１に記載のお酒コップ。
【手続補正２】
【補正対象書類名】明細書
【補正対象項目名】全文
【補正方法】変更
【補正の内容】
【発明の詳細な説明】
【技術分野】
【０００１】
本発明はコップ技術分野を取り上げて、具体的にはお酒コップである。
【背景技術】
【０００２】
新年や節句を過ごす時、又は会社の飲み会に参加する時、お酒を飲むことが避けられなく、お酒が好きではない人又はお酒が飲めない人にとって、こういう場面がちょっと苦手で、どのように賢くお酒を飲むことを避け、他の人のメンツも自分の体も守れるか、これは非常に重要であり、上記問題について、本装置を提出した。
【先行技術文献】
【特許文献】
【０００３】
【特許文献１】中国特許出願公開第１０３０４０３０３号明細書
【発明の概要】
【発明が解決しようとする課題】
【０００４】
本発明はお酒コップを提供し、従来技術における上記欠点を解消することを目的とする。
【課題を解決するための手段】
【０００５】
本発明装置のお酒コップは、お酒コップ及び前記お酒コップの中に設置されているコップチャンバを含み、前記コップチャンバが上へ開口しており、前記お酒コップの中にはリードスクリューチャンバが設置され、前記リードスクリューチャンバが前記コップチャンバと連通しており、前記リードスクリューチャンバの中にはガイドブロックがスライドできるように設置され、前記コップチャンバの中には上昇板がスライドできるように設置され、前記上昇板が前記ガイドブロックと固定的に連結され、前記お酒コップの中には左チャンバが設置され、前記お酒コップの中には右チャンバが設置され、前記右チャンバの底壁には下へ開口した注水孔が設置され、前記注水孔の中には注水バルブが設置され、前記右チャンバと前記コップチャンバとが排水逆止弁により連通され、使用する時に注水バルブにより水を前記右チャンバの中に注ぎ入れ、前記右チャンバの中には下押し板がスライドできるように設置され、前記コップチャンバと前記左チャンバとの間の壁体の中には収納溝が設置され、前記コップチャンバと前記左チャンバとの間には貫通孔が設置され、前記収納溝の中には阻み板がスライドできるように設置され、前記阻み板の中には左右に貫通している連通孔が設置され、前記収納溝と前記コップチャンバとの間には上下対称の二つの定位溝が設置され、前記阻み板の右端面には前記定位溝により前記コップチャンバの中に伸びている定位ブロックが上下対称的に固定的に設置され、前記定位ブロックは弾性材料であり、前記コップチャンバの中にお酒を入れる時、前記上昇板が上昇して下側の前記定位ブロックと当接することにより前記阻み板を上昇させ、前記連通孔が前記貫通孔の中まで移動して前記コップチャンバと前記左チャンバとを連通し、お酒が前記左チャンバの中に入り、前記下押し板が下降し、前記右チャンバの中の水が圧力作用のもとで前記コップチャンバの中に入り、前記上昇板の中には上下に貫通している第一連通溝が左右対称的に設置され、前記第一連通溝の中には第一密封ブロックがスライドできるように設置され、前記第一密封ブロックの中には第一連通孔が設置され、前記第一密封ブロックの片側端面には前記第一連通溝の内壁とスライドできるように連結されている第一スライダが固定的に設置され、前記第一スライダと前記第一連通溝の内壁との間には第一ばねが連結され、前記上昇板が一番高い位置まで上昇した後で下降し、この時に前記上昇板の下側に水があるため、前記上昇板が下降過程において水の圧力を受け、そして前記第一密封ブロックが水の圧力のもとで上方へスライドし、これにより水が前記第一連通孔を通して前記上昇板の上側に入る。
【０００６】
好ましくは、前記コップチャンバの内壁の中にはスライド溝が設置され、前記スライド溝の中には主電磁石がスライドできるように設置され、前記主電磁石が前記上昇板の前端と固定的に連結され、前記お酒コップの中には下へ開口した空きチャンバが設置され、前記空きチャンバの中には副電磁石がスライドできるように設置され、前記副電磁石の上端にはゴム栓が固定的に設置され、前記ゴム栓が前記空きチャンバの内壁とスライドできるように連結され、前記空きチャンバが第一逆止弁により外部空間と連通しており、前記空きチャンバと前記右チャンバとの間には連通チャンバが連通するように設置され、前記連通チャンバの中には第二逆止弁が設置され、これにより前記上昇板が上昇する時、前記主電磁石と、前記副電磁石と、前記ゴム栓とにより前記空きチャンバの中の気体が前記右チャンバの中に押され、これにより前記下押し板を下降させ、前記右チャンバの内壁の中には外部空間に連通している第二連通溝が設置され、前記第二連通溝の中には第二密封ブロックがスライドできるように設置され、前記第二密封ブロックの中には第二連通孔が設置され、前記第二密封ブロックの下端面には第二スライダが固定的に設置され、前記第二スライダと前記第二連通溝の内壁との間には第二ばねが連結され、気体が前記右チャンバの中に入った後に前記第二密封ブロックに与える圧力は前記第二ばねが前記第二スライダに与える押圧力より小さく、下押し板を押して下方へ移動させるしかできなく、前記右チャンバの中の水の量が足りない時、前記注水バルブにより水を注ぎ入れ、前記下押し板の上側の気体が前記第二密封ブロックを外へ押圧し、これにより前記第二連通孔が外部空間に連通し、これにより気体を出すことを実現する。
【０００７】
好ましくは、前記収納溝の内壁の中には複数組の凹溝が設置され、前記阻み板の後端面には前記凹溝の数と同じである凸ブロックが固定的に設置され、前記凸ブロックは弾性材料により制作され、前記阻み板が上昇した後、前記凸ブロックが前記凹溝の中に挿入されて前記阻み板に位置を保持させる。
【０００８】
好ましくは、前記左チャンバの底壁の中には下へ開口した液体排出孔が設置され、前記液体排出孔の中には閉鎖蓋がネジ山により結合され、前記閉鎖蓋を外した後、前記左チャンバの中のお酒を出すことができる。
【０００９】
好ましくは、前記リードスクリューチャンバの底壁の中にはモータが固定的に設置され、前記モータの上端にはリードスクリューが動力が伝達できるように連結され、前記ガイドブロックが前記リードスクリューとネジ山により連結されている。
【発明の効果】
【００１０】
以上により、本発明を使用する時、コップの中にお酒を入れた後、本発明を始動すれば自動的にお酒を水に替えられ、替える過程の中のすべての動作がコップ主体の中で自動的に行われ、変える過程が高効率で快速であり、これにより社交等のためにお酒を飲む場合、お酒が飲めないことで気まずい雰囲気になることを避けられる。
【図面の簡単な説明】
【００１１】
以下に図１〜７を交えて本発明について詳しく説明する。便利に叙述するために、後文に出る方位を下記の通りに規定する：後文に出る上下左右前後方向は図１本体の投影関係の上下左右前後方向と一致する。
【００１２】
【図１】図１は本発明のお酒コップの全体構成模式図
【図２】図２は図１の中のＡ−Ａにおける構成模式図
【図３】図３は図１の中のＢ−Ｂにおける構成模式図
【図４】図４は図１の中のＣにおける構成模式図
【図５】図５は図１の中のＤにおける構成模式図
【図６】図６は図１の中のＥにおける構成模式図
【図７】図７は阻み板３０の背面図
【発明を実施するための形態】
【００１３】
以下は付図説明と実施例を交えて本発明について更に説明し、本発明の方式は以下の実施例を含むが、これのみに限定されるものではない。
【００１４】
図１〜７に示すように、本発明装置のお酒コップは、お酒コップ１０及び前記お酒コップ１０の中に設置されているコップチャンバ１１を含み、前記コップチャンバ１１が上へ開口しており、前記お酒コップ１０の中にはリードスクリューチャンバ１８が設置され、前記リードスクリューチャンバ１８が前記コップチャンバ１１と連通しており、前記リードスクリューチャンバ１８の中にはガイドブロック２６がスライドできるように設置され、前記コップチャンバ１１の中には上昇板１７がスライドできるように設置され、前記上昇板１７が前記ガイドブロック２６と固定的に連結され、前記お酒コップ１０の中には左チャンバ１２が設置され、前記お酒コップ１０の中には右チャンバ１５が設置され、前記右チャンバ１５の底壁には下へ開口した注水孔１３が設置され、前記注水孔１３の中には注水バルブ１４が設置され、前記右チャンバ１５と前記コップチャンバ１１とが排水逆止弁１６により連通され、使用する時に注水バルブ１４により水を前記右チャンバ１５の中に注ぎ入れ、前記右チャンバ１５の中には下押し板４８がスライドできるように設置され、前記コップチャンバ１１と前記左チャンバ１２との間の壁体の中には収納溝３２が設置され、前記コップチャンバ１１と前記左チャンバ１２との間には貫通孔２９が設置され、前記収納溝３２の中には阻み板３０がスライドできるように設置され、前記阻み板３０の中には左右に貫通している連通孔３３が設置され、前記収納溝３２と前記コップチャンバ１１との間には上下対称の二つの定位溝３４が設置され、前記阻み板３０の右端面には前記定位溝３４により前記コップチャンバ１１の中に伸びている定位ブロック３５が上下対称的に固定的に設置され、前記定位ブロック３５は弾性材料であり、前記コップチャンバ１１の中にお酒を入れる時、前記上昇板１７が上昇して下側の前記定位ブロック３５と当接することにより前記阻み板３０を上昇させ、前記連通孔３３が前記貫通孔２９の中まで移動して前記コップチャンバ１１と前記左チャンバ１２とを連通し、お酒が前記左チャンバ１２の中に入り、前記下押し板４８が下降し、前記右チャンバ１５の中の水が圧力作用のもとで前記コップチャンバ１１の中に入り、前記上昇板１７の中には上下に貫通している第一連通溝４０が左右対称的に設置され、前記第一連通溝４０の中には第一密封ブロック３８がスライドできるように設置され、前記第一密封ブロック３８の中には第一連通孔３６が設置され、前記第一密封ブロック３８の片側端面には前記第一連通溝４０の内壁とスライドできるように連結されている第一スライダ３９が固定的に設置され、前記第一スライダ３９と前記第一連通溝４０の内壁との間には第一ばね３７が連結され、前記上昇板１７が一番高い位置まで上昇した後で下降し、この時に前記上昇板１７の下側に水があるため、前記上昇板１７が下降過程において水の圧力を受け、そして前記第一密封ブロック３８が水の圧力のもとで上方へスライドし、これにより水が前記第一連通孔３６を通して前記上昇板１７の上側に入る。
【００１５】
有益的には、前記コップチャンバ１１の内壁の中にはスライド溝２５が設置され、前記スライド溝２５の中には主電磁石２４がスライドできるように設置され、前記主電磁石２４が前記上昇板１７の前端と固定的に連結され、前記お酒コップ１０の中には下へ開口した空きチャンバ２１が設置され、前記空きチャンバ２１の中には副電磁石２３がスライドできるように設置され、前記副電磁石２３の上端にはゴム栓２２が固定的に設置され、前記ゴム栓２２が前記空きチャンバ２１の内壁とスライドできるように連結され、前記空きチャンバ２１が第一逆止弁１９により外部空間と連通しており、前記空きチャンバ２１と前記右チャンバ１５との間には連通チャンバ４９が連通するように設置され、前記連通チャンバ４９の中には第二逆止弁２０が設置され、これにより前記上昇板１７が上昇する時、前記主電磁石２４と、前記副電磁石２３と、前記ゴム栓２２とにより前記空きチャンバ２１の中の気体が前記右チャンバ１５の中に押され、これにより前記下押し板４８を下降させ、前記右チャンバ１５の内壁の中には外部空間に連通している第二連通溝４５が設置され、前記第二連通溝４５の中には第二密封ブロック４４がスライドできるように設置され、前記第二密封ブロック４４の中には第二連通孔４３が設置され、前記第二密封ブロック４４の下端面には第二スライダ４７が固定的に設置され、前記第二スライダ４７と前記第二連通溝４５の内壁との間には第二ばね４６が連結され、気体が前記右チャンバ１５の中に入った後に前記第二密封ブロック４４に与える圧力は前記第二ばね４６が前記第二スライダ４７に与える押圧力より小さく、下押し板４８を押して下方へ移動させるしかできなく、前記右チャンバ１５の中の水の量が足りない時、前記注水バルブ１４により水を注ぎ入れ、前記下押し板４８の上側の気体が前記第二密封ブロック４４を外へ押圧し、これにより前記第二連通孔４３が外部空間に連通し、これにより気体を出すことを実現する。
【００１６】
有益的には、前記収納溝３２の内壁の中には複数組の凹溝３１が設置され、前記阻み板３０の後端面には前記凹溝３１の数と同じである凸ブロック５０が固定的に設置され、前記凸ブロック５０は弾性材料により制作され、前記阻み板３０が上昇した後、前記凸ブロック５０が前記凹溝３１の中に挿入されて前記阻み板３０に位置を保持させる。
【００１７】
有益的には、前記左チャンバ１２の底壁の中には下へ開口した液体排出孔４２が設置され、前記液体排出孔４２の中には閉鎖蓋４１がネジ山により結合され、前記閉鎖蓋４１を外した後、前記左チャンバ１２の中のお酒を出すことができる。
【００１８】
有益的には、前記リードスクリューチャンバ１８の底壁の中にはモータ２８が固定的に設置され、前記モータ２８の上端にはリードスクリュー２７が動力が伝達できるように連結され、前記ガイドブロック２６が前記リードスクリュー２７とネジ山により連結されている。
【００１９】
前記のお酒コップの実現方法は、以下のステップを含む：
【００２０】
お酒をコップチャンバ１１の中に入れた後、モータ２８が起動してリードスクリュー２７を回転させ、これによりガイドブロック２６が上昇板１７を連動させて上昇させ、上昇板１７が下側の定位ブロック３５と当接し、阻み板３０を上昇させ、連通孔３３が貫通孔２９の中まで移動してコップチャンバ１１と左チャンバ１２とを連通し、お酒が左チャンバ１２の中に入り、上昇板１７が主電磁石２４を上昇連動させ、これにより副電磁石２３と、ゴム栓２２とにより空きチャンバ２１の中の気体を右チャンバ１５の中まで押し、下押し板４８が下降し、右チャンバ１５の中の水が圧力作用のもとでコップチャンバ１１の中に入り、上昇板１７が一番高い位置まで上昇した後で下降し、上側の定位ブロック３５と当接して阻み板３０を下降させて復帰させ、第一密封ブロック３８が水の圧力のもとで上へスライドし、これにより水が第一連通孔３６を通して上昇板１７の上側に入り、これによりお酒を水に替える。
【００２１】
以上により、本発明を使用する時、コップの中にお酒を入れた後、本発明を始動すれば自動的にお酒を水に替えられ、替える過程の中のすべての動作がコップ主体の中で自動的に行われ、変える過程が高効率で快速であり、これにより社交等のためにお酒を飲む場合、お酒が飲めないことで気まずい雰囲気になることを避けられる。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。